(57)【要約】【課題】便蓋用ハンドルにより手で直接便蓋に触れず衛生的で、かつ体の姿勢を屈まずに便蓋を開閉することを目的とする。【解決手段】便蓋用ハンドルとして手で保持するグリップ、フレーム、ヒンジ、吸盤（便蓋取り付け部）から形成される。便蓋用ハンドルのヒンジと便蓋用ヒンジの回転軸が平行になるよう便蓋用ハンドルを便蓋に取り付ける。手でグリップを上下方向に移動させることで便蓋用ヒンジと便蓋用ハンドルのヒンジは回転方向が互いに逆方向に動き便蓋開閉を行う。便蓋閉において手でグリップを持つ時は体の姿勢が屈む必要のない高さが確保され容易に便蓋を開けることができる。また便蓋を閉じる時も、手でグリップを持ち手前に引き下げることで楽な姿勢となり静かに閉めることができる。かつ便蓋に直接手で触れることがないため衛生的である。【選択図】図４
2011110299.tif 000002
【特許請求の範囲】
【請求項１】
便蓋に取り付けて便蓋の開閉を行うものであり、すくなくとも手で保持するグリップ、ヒンジ、便蓋との接続部から形成される便蓋用ハンドル。
【請求項２】
便蓋に取り付けて便蓋の開閉を行うものであり、すくなくとも手で保持するグリップ、ボールジョイント、便蓋との接続部から形成される便蓋用ハンドル。
【請求項３】
請求項1または請求項２の便蓋用ハンドルであり、手で保持するグリップが弾性体である便蓋用ハンドル。
【請求項４】
請求項1または請求項２の便蓋用ハンドルであり、ヒンジまたはボールジョイントの摺動抵抗が可変できる便蓋用ハンドル。
【発明の詳細な説明】
【技術分野】
【０００１】
本発明は、洋式トイレの便蓋開閉を衛生的、かつ容易に行う便蓋用ハンドルに関するものである。
【背景技術】
【０００２】
洋式トイレの便蓋開閉において直接手で蓋に触れて持ち上げたり、手前に引き下ろしたりして行うのが一般的である。ただ、便蓋閉時の蓋の高さは比較的低いため直接手で便蓋を開ける際は屈む姿勢となり腰に負担がかかるなど面倒であった。また、直接便蓋を触ることに衛生面で不安があった。このことから常時便蓋を開放状態にする場合も見受けられるが外見上やマナー上においてもトイレを使用しない時は便蓋を閉じておくことが望ましい。
【０００３】
この改善策として、人感知センサにより自動で便蓋開閉を行うものもあるが高価である。また、特開２０００−１７５８４５号公報や登録実用新案  第３０５２７２６号公報のように便座や便蓋に持ち手（取っ手）を付けたものがあるが、これらは持ち手の位置が低く屈む姿勢となり腰に負担がかかる。
【先行技術文献】
【特許文献】
【０００４】
【特許文献１】特開２０００−１７５８４５号公報
【特許文献２】登録実用新案  第３０５２７２６号公報
【発明の概要】
【発明が解決しようとする課題】
【０００５】
解決しようとする問題点は、手で便蓋を開閉する場合に屈んだ姿勢になり体の負担になること。および直接便蓋を触ることで不衛生な場合があること。また、自動便蓋開閉装置の場合は高価となる点である。
【課題を解決するための手段】
【０００６】
本発明は、手で直接便蓋に触れることなく、かつ体の姿勢を屈まずに便蓋開閉動作を行うため、すくなくとも手で保持するグリップ、ヒンジ、便蓋との接続部により形成され、手でグリップを持ち上下方向に動かして便蓋を開閉することを最も主要な特徴とする。
【発明の効果】
【０００７】
本発明の洋式トイレの便蓋用ハンドルは、便蓋用ヒンジと便蓋用ハンドルのヒンジの回転軸が平行になるように便蓋用ハンドルを便蓋に取り付けて手でグリップを持ち上下方向に動かすことで便蓋に直接手で触れず便蓋開閉ができる。かつ便蓋閉時のグリップの高さを屈んだ姿勢にならずに手で持てる位置にすることで腰に負担がかからない利点がある。
【図面の簡単な説明】
【０００８】
【図１】便蓋閉時の便蓋用ハンドル装着状態の側面図（実施例）
【図２】便蓋開時の便蓋用ハンドル装着状態の側面図（実施例）
【図３】便蓋用ハンドルの正面図と側面図および動作図。
【図４】便蓋閉時の便蓋用ハンドル装着状態の斜視図。
【発明を実施するための形態】
【０００９】
便蓋を開閉する場合に屈んだ姿勢にならず、かつ直接便蓋を触ることなく衛生的な便蓋用ハンドルを実現した。
【実施例】
【００１０】
図１は、便蓋閉時の便蓋用ハンドル装着状態の側面図１実施例である。1はグリップ、２はグリップとフレームの接続部、３はフレーム、４はヒンジ、５は吸盤（便蓋との接続部）、６は便蓋、７は便座、８は便器本体である。便蓋用ハンドルの本例では１〜５により構成される。グリップ1とフレーム３、および各接続部２で構成する理由は、グリップを交換可能にするためである。よってグリップとフレームを一体としても構わない。グリップ１において材質に柔らかい弾性体を使用することで硬い材質のものに比べ安全性が高くなり、かつ開閉動作時に吸盤（便蓋との接続部）、およびフレームに過度な応力を防げることができる。グリップとフレームの接続部はネジによる固定でもよいし、洗濯バサミのような挟む構造でもよく、容易にグリップ１を交換できる構造としている。フレーム３は便蓋用ハンドル本体が使用に耐えうる強度であれば材質は特定しない。ヒンジ４は、ヒンジに摺動抵抗を持たせて図３の（ハ）状態のようにグリップが吸盤正立時に対し傾斜しても静止可能とする。また、ヒンジの摺動抵抗が小さい場合はフレームとグリップの接続時の重心がヒンジ回転軸よりも鉛直下側、グリップが鉛直上側になるようにするか、フレームにストッパーや磁石等を設けて便蓋開閉動作時の停止位置を固定してもよい。便蓋用ハンドル装着時のグリップ１は人が屈まなくても持つことができる長さとし、グリップ１を手で引き上げて便蓋を開ける。便蓋用ハンドルの便蓋への取り付けは便蓋ヒンジの回転軸（図4のB）と便蓋用ハンドルのヒンジの回転軸（図4のA）が平行になるように設置（本例では吸盤）する。これにより便蓋開閉動作において、便蓋用ヒンジと便蓋用ハンドルのヒンジは回転方向が互いに逆方向に動きグリップを上下方向に移動させるだけで便蓋開閉を行うことができる。
【００１１】
図２は、便蓋開時の便蓋用ハンドル装着状態の側面図１実施例である。図１の便蓋６の閉じた状態に対し便蓋６が開いた状態である。グリップ１を持ち引き上げ便蓋を開けると図２状態になる。図１説明と同じく、ヒンジ４は、ヒンジに摺動抵抗を持たせて図３の（ハ）状態のようにグリップが吸盤正立時に対し傾斜しても静止可能としている。また、ヒンジ部分の摺動抵抗を可変できるようにして便蓋用ハンドルの操作抵抗を調整できるようにしてもよい。便蓋を閉じる時はグリップ１を持ち引き下げて便蓋を閉める。この時、従来では、直接便蓋を手前に引くように行っていた為に、便蓋ヒンジの摺動抵抗が小さくなっている場合や便蓋を強く手前に引いた場合に勢いよく便蓋が閉まり大きな音を立ててしまう問題があった。しかし、この便蓋用ハンドルで便蓋を閉める場合はグリップを持って静かに閉めることができる。
【００１２】
図３は、便蓋用ハンドルの正面図と側面図１実施例である。１〜５は図１説明と同様である。（イ）は側面図、（ロ）は正面図、（ハ）はグリップとフレームが傾斜した状態の側面図である。本図の例ではヒンジ４が摺動抵抗により（ハ）状態になってもグリップ１、グリップとフレームの接続部２、フレーム３の連結体が静止可能としている。ただ摺動抵抗を大きくすると便蓋用ハンドルの操作抵抗が大きくなるため、できるだけグリップおよびフレームは軽量にして摺動抵抗を小さくしたほうが望ましい。また、図１の説明と重複するがグリップの材質に柔らかい弾性体を使用して安全性を高くし、吸盤およびフレームに操作時の過度な応力を防ぐことが望ましい。便蓋への便蓋用ハンドルの固定は吸盤５としたが固定方法はこの限りではない。両面テープ等で直接本体を接着してもよいが、取り付け場所変更の容易さや便蓋清掃時の脱着を考慮すると吸盤を使用するのが望ましい。本例では、ヒンジを使用しているが、この限りではなくボールジョイント構造を使用することもできる。
【００１３】
図４は、便蓋閉時の便蓋用ハンドル装着状態の斜視図である。１〜６は図１説明と同様である。Aは便蓋用ハンドルのヒンジの回転軸、Bは便蓋用ヒンジの回転軸である。便蓋用ハンドルの便蓋への取り付けは回転軸Aと回転軸Bが平行になるように設置する。これにより便蓋開閉動作において、便蓋用ヒンジと便蓋用ハンドルのヒンジは回転方向が互いに逆方向に動きグリップを上下方向に移動させるだけで便蓋開閉を行うことができる。
【００１４】
また、グリップにおいて実施例では単調な棒形状であるが、形状を動物の尻尾、花、植物にデザインすることもできる。かつ表面に抗菌加工等をすることもできる。
【産業上の利用可能性】
【００１５】
ヒンジによって開閉する蓋において直接手で行うものに適用できる。
【符号の説明】
【００１６】
１    グリップ
２    グリップとフレームの接続部
３    フレーム
４    ヒンジ
５    吸盤（便蓋との接続部）
６    便蓋
７    便座
８    便器本体
A    便蓋用ハンドルのヒンジ回転軸
B    便蓋用ヒンジ回転軸
【図１】
2011110299.tif 000003
【図２】
2011110299.tif 000004
【図３】
2011110299.tif 000005
【図４】
2011110299.tif 000006